(57)【要約】【課題】前扉を大型化することなく、収納されている商品の品質管理性能を向上させる。【解決手段】前部を開口した箱状の販売機本体１０２と、販売機本体１０２の前部開口１０２ａを開閉する中空の前扉１０４と、前扉１０４内の空気を流通させるファン装置と、を備え、流通空気をエアカーテンとして機能させ、前扉１０４の前面から背面への熱伝達を抑制し、前扉１０４の温度変化に起因する販売機本体１０２内の温度変動を抑制する。【選択図】図５
2007094791.tif 000002
【特許請求の範囲】
【請求項１】
前部を開口し商品が収納される箱状の販売機本体と、
前記販売機本体の前部開口を開閉する中空の前扉と、
前記前扉内の空気を流通させるファン装置と、を備えたことを特徴とする自動販売機。
【請求項２】
前記ファン装置は、前記前扉内の空気をほぼ下から上へ流通させることを特徴とする請求項１に記載の自動販売機。
【請求項３】
前記前扉内に該前扉の下部から前記販売機本体内の空気が流入し、該前扉の上部から前記販売機本体内へ空気が流出することを特徴とする請求項２記載の自動販売機。
【請求項４】
前記ファン装置は、前記販売機本体の下部に設けられ該販売機本体の外部から空気を吸引する吸気ファンを有することを特徴とする請求項３に記載の自動販売機。
【請求項５】
前記ファン装置は、前記前扉の背面下側に設置され前記販売機本体内の空気を前記前扉内へ送出する送出ファンを有することを特徴とする請求項３または４に記載の自動販売機。
【請求項６】
前記前扉の背面上側に、前記前扉内の空気を前記販売機本体内へ送出するための送出孔を形成したことを特徴とする請求項５に記載の自動販売機。
【請求項７】
前記前扉は、
内部に展示用の商品見本が配され、
前記商品見本の前方に配される透明な窓部材と、
前記窓部材に貼着され赤外線を反射するフィルムと、を有することを特徴とする請求項１から６のいずれか一項に記載の自動販売機。
【請求項８】
前記販売機本体の内部に配された複数の商品収納コラムを備え、
前記各商品収納コラムの商品排出通路を、前記前扉と前記商品収納コラムとの間に上下へ延びるよう形成したことを特徴とする請求項１から７のいずれか一項に記載の自動販売機。
【請求項９】
前記ファン装置は、前記商品排出通路内の空気を該商品排出通路の一方から他方へ流通させることを特徴とする請求項８に記載の自動販売機。
【請求項１０】
前記商品収納コラムは、ほぼ隣接して前後２列となるよう設置され、
前列の前記商品収納コラムの商品排出通路を、前記前扉と前列の前記商品収納コラムとの間に上下へ延びるよう形成するとともに、
後列の前記商品収納コラムの商品排出通路を、前記販売機本体の背面と後列の前記商品収納コラムとの間に上下へ延びるよう形成したことを特徴とする請求項８または９に記載の自動販売機。
【発明の詳細な説明】
【技術分野】
【０００１】
本発明は、箱状の販売機本体内に配される複数の商品収納コラムを備えた自動販売機に関する。
【背景技術】
【０００２】
たばこ等の自動販売機では、箱状の販売機本体の内部に、商品を収納する商品収納コラムが設けられたものが一般的である。販売機本体の前面は開口し、この開口を開閉する前扉が設けられる（例えば、特許文献１参照）。商品収納コラムは、前扉の裏側と、販売機本体の奥側に左右方向に並んで配される。そして、前扉に設置される商品収納コラムと、販売機本体の奥側に設置される商品収納コラムとの間に、共通の商品排出通路が上下に延びるよう形成される。
【０００３】
各商品収納コラムには、商品が上下に積層して収納され、利用者により選択されると最下位の商品から商品排出通路へ順次払い出される。商品排出通路へ払い出された商品は、自重により落下して前扉に形成された商品取出口まで案内される。前扉は箱形で中空に形成され、内部に展示用の商品見本が配される。前扉の前面には、展示部分に対応して開口部が形成され、開口部に透明なプラスチック材が嵌め込まれている。これにより、利用者は、商品見本を外部から視認して、前扉に設けられた選択ボタンを用いて所望の商品を選択することができるようになっている。
【０００４】
ここで、外部からの紫外線による商品見本の変色等の劣化を防止するため、プラスチック材に紫外線カットフィルムを貼着する自動販売機が知られている。また、プラスチック材に紫外線吸収剤を混入させた自動販売機も知られている（例えば、特許文献２参照）。
【特許文献１】特開平１０−２３２９７０号公報
【特許文献２】特開平１０−２２２７３８号公報
【発明の開示】
【発明が解決しようとする課題】
【０００５】
ところで、前記自動販売機では、商品収納コラムに収納されている商品は、利用者に購入されるまで商品収納コラム内の温度で保持される。このとき、商品は、商品収納コラムに加えて販売機本体に覆われているので品質上問題が生じることはない。しかし、自動販売機の設置環境により前扉の温度が変動すると、商品収納コラム内の商品の温度も少なからず変動することとなる。商品の品質保証期間であっても、温度変化を小さくした方が商品の保存に好適で品質管理上有利である。そこで、前扉が大型化しない範囲での品質管理性能のさらなる向上が望まれている。
【０００６】
本発明は、前記事情に鑑みてなされたものであり、その目的とするところは、前扉を大型化することなく、収納されている商品の品質管理性能を向上させることのできる自動販売機を提供することにある。
【課題を解決するための手段】
【０００７】
前記目的を達成するため、本発明では、自動販売機において、
前部を開口し商品が収納される箱状の販売機本体と、
前記販売機本体の前部開口を開閉する中空の前扉と、
前記前扉内の空気を流通させるファン装置と、を備えたことを特徴とする。
【０００８】
本発明の自動販売機によれば、ファン装置により前扉内の空気が流通することから、前扉前面から前扉背面への前扉内の空気を介した熱伝達が抑制される。すなわち、流通空気がエアカーテンとして機能することから、販売機本体側の温度を略一定に保つことができる。さらに、直射日光等により、前扉の前面、内部等が過度に加熱された場合は、前扉の空冷作用をも得ることができる。
従って、外界の天候等の影響により、前扉が加熱又は冷却されたとしても、販売機本体内の温度変化を抑制することができる。この結果、販売機本体内に収納されている商品の温度も大きく変動することはなく、収納商品を良好な状態で保存することができる。
【０００９】
また、上記自動販売機において、
前記ファン装置は、前記前扉内の空気をほぼ下から上へ流通させる構成とすることができる。
【００１０】
ここで、自動販売機は屋外に設置されることが多く、屋外にて上部及び側部が直射日光等により加熱されて、前扉及び販売機本体の温度が上昇する。すなわち、自動販売機全体として、下方に比して上方の温度が高いことが多い。
このような場合に前扉内の空気を下方から上方へ流通させることにより、温度の低い領域から高い領域へ空気を流通させることができ、空気と前扉各所とで効率良く熱交換を行うことができる。また、前扉内にて熱交換により加熱された空気は、比重が小さくなって自然に上方へと向かうことから、この自然対流の流れ方向とファン装置による空気の送出方向とを一致させることにより、ファン装置への負荷を低減することができる。
【００１１】
また、上記自動販売機において、
前記前扉内に該前扉の下部から前記販売機本体内の空気が流入し、該前扉の上部から前記販売機本体内へ空気が流出する構成とすることができる。
【００１２】
この自動販売機によれば、自動販売機の外部から販売機本体を経由して前扉に空気が流入し、また、販売機本体を経由して自動販売機の外部へ空気が流出するので、前扉の前面側に空気の流入口や流出口を形成する必要はない。これにより、自動販売機のフロントフェイスをなす前扉の前面に、デザイン上の制約が課されることはない。
【００１３】
また、上記自動販売機において、
前記ファン装置は、前記販売機本体の下部に設けられ該販売機本体の外部から空気を吸引する吸気ファンを有する構成とすることができる。
【００１４】
この自動販売機によれば、吸気ファンにより販売機本体の下部外側から空気が導入された後、前扉の内部へ空気が案内される。このとき、吸気ファンの設置箇所にて局所的に外部から空気が吸引されるので、吸気ファンの設置箇所にエアフィルタ等の塵埃除去部材を設けておけば、自動販売機内への塵埃の侵入を阻止することができる。
【００１５】
また、上記自動販売機において、
前記ファン装置は、前記前扉の背面下側に設置され前記販売機本体内の空気を前記前扉内へ送出する送出ファンを有する構成とすることができる。
【００１６】
この自動販売機によれば、送出ファンにより前扉内へ空気が押し込まれるので、前扉内の空気の流れを安定させることができる。
【００１７】
また、上記自動販売機において、
前記前扉の背面上側に、前記前扉内の空気を前記販売機本体内へ送出するための送出孔を形成した構成とすることができる。
【００１８】
この自動販売機によれば、送出ファンにより前扉内に押し込まれた空気は送出孔を通じて販売機本体内へ流出する。
【００１９】
また、上記自動販売機において、
前記前扉は、
内部に展示用の商品見本が配され、
前記商品見本の前方に配される透明な窓部材と、
前記窓部材に貼着され赤外線を反射するフィルムと、を有する構成とすることができる。
【００２０】
この自動販売機によれば、前扉の窓部材に外部から赤外線が入射すると、フィルムにより赤外線が反射されるので、前扉内に熱量を有する赤外線が侵入することはない。これにより、直射日光等による前扉の加熱が抑制され、販売機本体内の温度変化をさらに小さくすることができる。
【００２１】
また、上記自動販売機において、
前記販売機本体の内部に配された複数の商品収納コラムを備え、
前記各商品収納コラムの商品排出通路を、前記前扉と前記商品収納コラムとの間に上下へ延びるよう形成した構成とすることができる。
【００２２】
この自動販売機によれば、商品排出通路が前扉と前列の商品収納コラムとの間に形成されたので、前扉と商品収納コラムが商品排出通路の分だけ隔離され、前扉から商品収納コラムへの直接的な伝熱が防止される。これにより、前扉の温度変化による商品の温度変動をさらに抑制することができる。
【００２３】
また、上記自動販売機において、
前記ファン装置は、前記各商品排出通路内の空気を該商品排出通路の一方から他方へ流通させる構成とすることができる。
【００２４】
この自動販売機によれば、前扉から商品収納コラムへの商品排出通路内の空気を介した熱伝達も抑制される。商品排出通路内の流通空気もエアカーテンとして機能し、これによっても販売機本体側の温度を略一定に保つことができる。
【００２５】
また、上記自動販売機において、
前記商品収納コラムは、ほぼ隣接して前後２列となるよう設置され、
前列の前記商品収納コラムの商品排出通路を、前記前扉と前列の前記商品収納コラムとの間に上下へ延びるよう形成するとともに、
後列の前記商品収納コラムの商品排出通路を、前記販売機本体の背面と後列の前記商品収納コラムとの間に上下へ延びるよう形成した構成とすることができる。
【００２６】
この自動販売機によれば、後側の商品排出通路が販売機本体の背面と後列の商品収納コラムとの間に形成されたので、販売機本体の背面と後列の商品収納コラムも商品排出通路の分だけ隔離され、販売機本体の背面から後列の商品収納コラムへの直接的な伝熱が防止される。これにより、外部から販売機本体の背面に熱量が付与されたり、外部へ背面から熱量が放出されたりして背面の温度が変化したとしても、商品収納コラムの温度にさほど影響はない。
【発明の効果】
【００２７】
このように、本発明の自動販売機によれば、商品収納コラムの温度変化を抑制し、収納商品を良好な状態で保存することができ、商品の品質管理性能を向上させることができる。また、前扉内の空気を流通させて伝熱を抑制するようにしたので、前扉が大型となることもなく、実用に際して極めて有利である。
【発明を実施するための最良の形態】
【００２８】
図１から図５は本発明の一実施形態を示すもので、図１は自動販売機の概略外観斜視図、図２は自動販売機の模式縦断面図、図３は自動販売機の一部分解斜視説明図、図４は前扉を回動させた状態の自動販売機の斜視説明図、図５は自動販売機内の空気の流通経路を示す説明図である。
【００２９】
図１に示すように、この自動販売機１００は、前部を開口した箱状の販売機本体１０２と、販売機本体１０２の前部開口１０２ａ（図４参照）を開閉する前扉１０４と、を備えている。前扉１０４には、紙幣識別装置１０８及び硬貨処理装置１１０が配されるとともに商品取出口１１２が形成される。また、図２に示すように、自動販売機１００は、販売機本体１０２の内部に配された複数の商品収納コラム１１４を備えている。各商品収納コラム１１４は、略上下に延びる商品収納部１３６と、商品収納部１３６の下端に設けられる払出装置１３８と、を有する。
【００３０】
販売機本体１０２は例えば鋼板等からなり、図３に示すように、販売機本体１０２の右側面、左側面、上面及び背面の外側には、それぞれ断熱構造板１２０が取り付けられる。各断熱構造板１２０は、それぞれ販売機本体１０２の各面のほぼ全領域を覆う。各断熱構造板１２０は、カバー材１２２、断熱シート１２４、真空断熱材１２６、を外側からこの順に有する三層構造となっている。断熱構造板１２０の周縁には防水パッキン１２８が取り付けられる。
【００３１】
図２に示すように、前扉１０４は中空に形成され、内部に展示用の商品見本Ｓが配される。本実施形態においては、商品見本Ｓは左右方向へ並んで複数配され、各商品見本Ｓごとに選択ボタン１６０が設けられる（図１参照）。また、各商品見本Ｓは上下に所定の間隔をおいて配され、この結果、商品見本Ｓが横一列に多段に配されている。図２に示すように、各商品見本Ｓは前扉１０４の背面に固定された支持部１６２に支持され、同じく背面に固定された照明具１６４によりライトアップ可能となっている。
【００３２】
また、図２に示すように、前扉１０４は、商品見本Ｓの前方に配される透明な窓部材１６６と、窓部材１６６に貼着され赤外線を反射するフィルム１６８と、を有している。窓部材１６６は、例えばアクリル板からなり、透明なフィルム１６８が背面側に貼着されている。尚、フィルム１６８は、窓部材１６６の前面側に貼着されていてもよい。
【００３３】
また、自動販売機１００は、前扉１０４内の空気を、ほぼ下から上へ流通させるファン装置を備えている。本実施形態においては、図５に示すように、前扉１０４内に前扉１０４の下部から販売機本体１０２内の空気が流入し、前扉１０４の上部から販売機本体１０２内へ空気が流出する。具体的に、ファン装置は、販売機本体１０２の下部に設けられた吸気ファン１５２と、前扉１０４の背面下部に設置された送出ファン１５４と、販売機本体１０２の上部に設けられた排気ファン１５６と、を有し、これらの協働により前扉１０４内の空気を流通させる。
【００３４】
図２に示すように、吸気ファン１５２は、販売機本体１０２の下面に、販売機本体１０２側へ突出するよう設けられる。吸気ファン１５２は、下面のほぼ中央に設置され、販売機本体１０２の外部から空気を吸引する。吸気ファン１５２近傍における空気の流通経路には、脱着自在のエアフィルタが設けられている。ここで、図２に示すように、販売機本体１０２の下面は箱形の袋構造となっており、吸気ファン１５２はこの袋部分を通じて空気を吸引する。
【００３５】
図５に示すように、前扉１０４の背面下部に設けられた送出ファン１５４は、吸気ファン１５２により外部から吸引した空気を前扉１０４内へ送出する。この送出ファン１５４は、プロペラファンであり軸方向が前後方向となるよう設置される。
【００３６】
図５に示すように、排気ファン１５６は、販売機本体１０２の上面に設置され、販売機本体１０２内の空気を外部へ送出する。本実施形態においては、排気ファン１５６は、前列の商品収納コラム１１４の商品排出通路１４０と後列の商品収納コラム１１４の商品排出通路１４２に対応して別個に設けられている。
【００３７】
ここで、図２に示すように、前扉１０４の背面上側には、前扉１０４の空気を販売機本体１０２内へ送出するための送出孔１７０が形成される。この送出孔１７０により、販売機本体１０２における前側の商品排出通路１４０と前扉１０４内部とが連通している。
【００３８】
図４に示すように、前列の商品収納コラム１１４は前扉１０４に固定され、前扉１０４が販売機本体１０２の前部開口１０２ａを開放すると、前列及び後列の商品収納コラム１１４が互いに離隔した商品装填状態となるよう構成されている。各商品収納コラム１１４には商品が積層して収納されており、選択ボタン１６０により当該商品が選択されると、最下位の商品が払い出されるようになっている。
【００３９】
図２に示すように、前列の各商品収納コラム１１４は前方へ商品を払い出し、後列の各商品収納コラム１１４は後方へ商品を払い出す。これに対応して、前列の各商品収納コラム１１４の商品排出通路１４０は前扉１０４と前列の商品収納コラム１１４との間にて上下へ延びるよう形成されるとともに、後列の各商品収納コラム１１４の商品排出通路１４２は販売機本体１０２の背面と後列の商品収納コラム１１４との間にて上下へ延びるよう形成されている。
【００４０】
商品装填に際しては、前扉１０４を販売機本体１０２に対して回動して、販売機本体１０２の前部開口１０２ａを開放させる。このとき、前列の商品収納コラム１１４が前扉１０２とともに移動するので、前列と後列の商品収納コラム１１４が離隔した商品装填状態となる。これにより、商品の商品収納コラム１１４への装填作業は、各商品収納コラム１１４における各商品排出通路１４０，１４２と反対側を開放して行うことができる。
【００４１】
図２に示すように、自動販売機１００は、販売機本体１０２の前部開口１０２ａの少なくとも一部を塞ぐ断熱部材１３０が備えられる。本実施形態においては、断熱部材１３０は、厚さ寸法が比較的大きい断熱ボード１３２と、厚さ寸法が比較的小さい断熱シート１３４と、からなる。
【００４２】
以上のように構成された自動販売機１００では、図５に示すように、吸気ファン１５２により販売機本体１０２の下部外側から空気が導入され、送出ファン１５４により前扉１０４内へ空気が押し込まれる。そして、この空気は送出孔１７０を通じて販売機本体１０２内へ流出し、排気ファン１５６により販売機本体１０２の上部から空気が排出される。このとき、吸気ファン１５２の設置箇所にて局所的に外部から空気が吸引されるので、吸気ファン１５２の設置箇所に設けられたエアフィルタにより、自動販売機１００内への塵埃の侵入が阻止される。また、送出ファン１５４により前扉１０４内へ空気が押し込まれるので、前扉１０４内の空気の流れを安定させることができる。
【００４３】
このように、ファン装置により前扉１０４内の空気が流通することから、前扉１０４前面から前扉１０４背面への前扉１０４内の空気を介した熱伝達が抑制される。すなわち、流通空気がエアカーテンとして機能することから、販売機本体１０２側の温度を略一定に保つことができる。さらに、直射日光等により、前扉１０４の前面、内部等が過度に加熱された場合は、前扉１０４の空冷作用をも得ることができる。
従って、外界の天候等の影響により、前扉１０４が加熱又は冷却されたとしても、商品収納コラム１１４の温度変化を抑制することができる。この結果、商品収納コラム１１４内に収納されている商品の温度も大きく変動することはなく、収納商品を良好な状態で保存することができ、商品の品質管理性能を向上させることができる。また、前扉１０４内の空気を流通させて伝熱を抑制するようにしたので、前扉１０４が大型となることもなく、実用に際して極めて有利である。
【００４４】
ここで、自動販売機１００は屋外に設置されることが多く、屋外にて上部及び側部が直射日光等により加熱されて、前扉１０４及び販売機本体１０２の温度が上昇する。すなわち、自動販売機１００全体として、下方に比して上方の温度が高いことが多い。
このような場合に前扉１０４内の空気を下方から上方へ流通させることにより、温度の低い領域から高い領域へ空気を流通させることができ、空気と前扉１０４各所とで効率良く熱交換を行うことができる。また、前扉１０４内にて熱交換により加熱された空気は、比重が小さくなって自然に上方へと向かうことから、この自然対流の流れ方向とファン装置による空気の送出方向とを一致させることにより、ファン装置への負荷を低減することができる。
【００４５】
また、自動販売機１００の外部から販売機本体１０２を経由して前扉１０４に空気が流入し、また、販売機本体１０２を経由して自動販売機１００の外部へ空気が流出するので、前扉１０４の前面側に空気の流入口や流出口を形成する必要はない。これにより、自動販売機１００のフロントフェイスをなす前扉１０４の前面に、デザイン上の制約が課されることはない。
【００４６】
また、図５に示すように、前側の商品排出通路１４０が前扉１０４と前列の商品収納コラム１１４との間に形成されたので、前扉１０４と前列の商品収納コラム１１４が商品排出通路１４０の分だけ隔離され、前扉１０４から前列の商品収納コラム１１４への直接的な伝熱が防止される。さらに、前側の商品排出通路１４０の空気も流通することから、商品排出通路１４０内の空気を介した前扉１０４と各商品収納コラム１１４との間の熱伝達をも抑制される。これによっても、前扉１０４の温度変化による、商品収納コラム１１４の温度変化を抑制することができる。また、販売機本体１０２の前部開口１０２ａの一部を閉塞する断熱部材１３０によっても商品収納コラム１１４への伝熱が抑制される。
【００４７】
さらに、後側の商品排出通路１４２が販売機本体１０２の背面と後列の商品収納コラム１１４との間に形成されたので、販売機本体１０２の背面と後列の商品収納コラム１１４も商品排出通路１４２の分だけ隔離され、販売機本体１０２の背面から後列の商品収納コラム１１４への直接的な伝熱が防止される。さらにまた、後側の商品排出通路１４２の空気も流通することから、商品排出通路１４２内の空気を介した販売機本体１０２と各商品収納コラム１１４との間の熱伝達をも抑制される。これによって、販売機本体１０２の温度変化による、商品収納コラム１１４の温度変化を抑制することができる。さらにまた、断熱構造板１２０により販売機本体１０２自体の温度変化を抑制されているので、商品収納コラム１１４の温度変化を抑制に効果的である。
【００４８】
尚、前記実施形態においては、たばこ用の自動販売機１００に本発明を適用したものを示したが、飲料用、食品用等の自動販売機にも適用可能であることは勿論である。
【００４９】
また、前記実施形態においては、ファン装置が、前扉１０４内の空気を下方から上方へ流通させるものを示したが、上方から下方へ流通させるものであってもよい。
また、ファン装置が、販売機本体１０２の下部に設けられた吸気ファン１５２、前扉１０４に設けられた送出ファン１５４及び販売機本体１０２の上部に設けられた各排気ファン１５６を有するものを示したが、ファン装置の構成は任意である。例えば、前扉１０４の送出ファン１５４を背面下部の空気流入側でなく、背面上部の空気流出側に設けてもよい。さらに、排気ファン１５６を１つとしたり、吸気ファン１５２を各商品排出通路１４０，１４２ごとに設けたりしてもよい。その他、整流板等の設置も任意である。
また、送出ファン１５４の型式についても任意であり、前記実施形態のようなプロペラファンの他、ターボファン、シロッコファン等のような型式であってもよいことは勿論である。
【００５０】
また、前記実施形態においては、前扉１０４の窓部材１６６に赤外線を反射するフィルム１６８を貼着したものを示したが、このフィルム１６８を省略する構成とすることができる。また、前記実施形態においては、前扉１０４内に商品見本Ｓが配されるものを示したが、例えば、選択ボタン１６０に商品表示がなされ、商品見本Ｓが前扉１０４に設置されないものであってもよい。さらに、商品収納コラム１１４の配置も任意であり、その他、具体的な細部構造等についても適宜に変更可能であることは勿論である。
【図面の簡単な説明】
【００５１】
【図１】本発明の一実施形態を示す自動販売機の概略外観斜視図である。
【図２】自動販売機の模式縦断面図である。
【図３】自動販売機の一部分解斜視説明図である。
【図４】前扉を回動させた状態の自動販売機の斜視説明図である。
【図５】自動販売機内の空気の流通経路を示す説明図である。
【符号の説明】
【００５２】
１００    自動販売機
１０２    販売機本体
１０２ａ    前部開口
１０４    前扉
１０８    紙幣識別装置
１１０    硬貨処理装置
１１２    商品取出口
１１４    商品収納コラム
１２０    断熱構造板
１２２    カバー材
１２４    断熱シート
１２６    真空断熱材
１２８    防水パッキン
１３０    断熱部材
１３２    断熱ボード
１３４    断熱シート
１３６    商品収納部
１３８    払出装置
１４０    商品排出通路
１４２    商品排出通路
１５２    吸気ファン
１５４    送出ファン
１５６    排気ファン
１６０    選択ボタン
１６２    支持部
１６４    照明具
１６６    窓部材
１６８    フィルム
１７０    送出孔
Ｓ        商品見本
【図１】
2007094791.tif 000003
【図２】
2007094791.tif 000004
【図３】
2007094791.tif 000005
【図４】
2007094791.tif 000006
【図５】
2007094791.tif 000007